【手続補正書】
【提出日】平成22年12月7日(2010.12.7)
【手続補正１】
【補正対象書類名】特許請求の範囲
【補正対象項目名】全文
【補正方法】変更
【補正の内容】
【特許請求の範囲】
【請求項１】
第１及び第２のディスプレイを有する表示装置であって、
前記第１のディスプレイの表示特性に係る表示特性パラメータを設定する設定手段と、
前記設定手段により設定された表示特性パラメータを用いて、前記第１のディスプレイの表示制御を行う第１の表示制御手段と、
前記第２のディスプレイに表示されるデータの内容に応じて、前記第２のディスプレイの表示特性を前記第１のディスプレイの表示特性と連動させるか否かを判定する判定手段と、
前記判定手段により連動させると判定された場合は、前記第２のディスプレイの表示特性パラメータを前記第１のディスプレイの表示特性パラメータに対応するパラメータに設定し、前記判定手段により連動させないと判定された場合は、前記第２のディスプレイの表示特性パラメータを前記第１のディスプレイの表示特性パラメータでデータを表示した場合に比べてユーザの認識度合いを高めるようなパラメータに設定して、前記第２のディスプレイの表示制御を行う第２の表示制御手段とを備えることを特徴とする表示装置。
【請求項２】
第１及び第２のディスプレイを有する表示装置であって、
前記第１のディスプレイの表示特性に係る表示特性パラメータを設定する設定手段と、
前記設定手段により設定された表示特性パラメータを用いて、前記第１のディスプレイの表示制御を行う第１の表示制御手段と、
ユーザの指示にしたがって前記表示装置を操作するための操作手段と、
前記操作手段による操作の内容に応じて、前記第２のディスプレイの表示特性を前記第１のディスプレイの表示特性と連動させるか否かを判定する判定手段と、
前記判定手段により連動させると判定された場合は、前記第２のディスプレイの表示特性パラメータを前記第１のディスプレイの表示特性パラメータに対応するパラメータに設定し、前記判定手段により連動させないと判定された場合は、前記第２のディスプレイの表示特性パラメータを前記第１のディスプレイの表示特性パラメータでデータを表示した場合に比べてユーザの認識度合いを高めるようなパラメータに設定して、前記第２のディスプレイの表示制御を行う第２の表示制御手段とを備えることを特徴とする表示装置。
【請求項３】
前記第２の表示制御手段は、前記判定手段により連動させないと判定された場合は、前記第２のディスプレイの表示特性パラメータを予め定められた値に設定することを特徴とする請求項１または請求項２に記載の表示装置。
【請求項４】
前記第２の表示制御手段は、前記判定手段により連動させると判定された場合において、前記第１のディスプレイの表示が行われていなければ前記第２のディスプレイの表示特性パラメータを予め定められた値に設定することを特徴とする請求項１から請求項３までのいずれか一項に記載の表示装置。
【請求項５】
前記第１及び第２の表示制御手段は、それぞれ輝度、コントラスト、色温度、色あい、色の濃さのうちの少なくとも一つの表示特性パラメータを用いて表示制御を行うことを特徴とする請求項１から請求項４までのいずれか一項に記載の表示装置。
【請求項６】
前記判定手段は、前記第２のディスプレイに表示されるデータが緊急警報情報、ニュース速報、視聴予約情報、録画予約情報、エラーメッセージのいずれかである場合に、前記第２のディスプレイの表示特性パラメータを前記第１のディスプレイの表示特性パラメータと連動させないと判定することを特徴とする請求項１に記載の表示装置。
【請求項７】
前記判定手段は、前記操作手段による操作が前記第２のディスプレイに対する操作であって、かつ前記第１のディスプレイに表示されているデータと直接的に関係のない操作である場合に、前記第２のディスプレイの表示特性パラメータを前記第１のディスプレイの表示特性パラメータと連動させないと判定することを特徴とする請求項２に記載の表示装置。
【請求項８】
第１及び第２のディスプレイを有する表示装置の制御方法であって、
前記第１のディスプレイの表示特性に係る表示特性パラメータを設定する設定ステップと、
前記設定ステップで設定された表示特性パラメータを用いて、前記第１のディスプレイの表示制御を行う第１の表示制御ステップと、
前記第２のディスプレイに表示されるデータの内容に応じて、前記第２のディスプレイの表示特性を前記第１のディスプレイの表示特性と連動させるか否かを判定する判定ステップと、
前記判定ステップで連動させると判定された場合は、前記第２のディスプレイの表示特性パラメータを前記第１のディスプレイの表示特性パラメータに対応するパラメータに設定し、前記判定ステップで連動させないと判定された場合は、前記第２のディスプレイの表示特性パラメータを前記第１のディスプレイの表示特性パラメータでデータを表示した場合に比べてユーザの認識度合いを高めるようなパラメータに設定して、前記第２のディスプレイの表示制御を行う第２の表示制御ステップとを備えることを特徴とする制御方法。
【請求項９】
第１及び第２のディスプレイを有する表示装置の制御方法であって、
前記第１のディスプレイの表示特性に係る表示特性パラメータを設定する設定ステップと、
前記設定ステップで設定された表示特性パラメータを用いて、前記第１のディスプレイの表示制御を行う第１の表示制御ステップと、
ユーザの指示にしたがって前記表示装置を操作するための操作ステップと、
前記操作ステップによる操作の内容に応じて、前記第２のディスプレイの表示特性を前記第１のディスプレイの表示特性と連動させるか否かを判定する判定ステップと、
前記判定ステップで連動させると判定された場合は、前記第２のディスプレイの表示特性パラメータを前記第１のディスプレイの表示特性パラメータに対応するパラメータに設定し、前記判定ステップで連動させないと判定された場合は、前記第２のディスプレイの表示特性パラメータを前記第１のディスプレイの表示特性パラメータでデータを表示した場合に比べてユーザの認識度合いを高めるようなパラメータに設定して、前記第２のディスプレイの表示制御を行う第２の表示制御ステップとを備えることを特徴とする制御方法。
【請求項１０】
前記第２の表示制御ステップは、前記判定ステップで連動させないと判定された場合は、前記第２のディスプレイの表示特性パラメータを予め定められた値に設定することを特徴とする請求項８または請求項９に記載の制御方法。
【請求項１１】
前記第２の表示制御ステップは、前記判定ステップで連動させると判定された場合において、前記第１のディスプレイの表示が行われていなければ前記第２のディスプレイの表示特性パラメータを予め定められた値に設定することを特徴とする請求項８から請求項１０までのいずれか一項に記載の表示装置。
【請求項１２】
前記第１及び第２の表示制御ステップは、それぞれ輝度、コントラスト、色温度、色あい、色の濃さのうちの少なくとも一つの表示特性パラメータを用いて表示制御を行うことを特徴とする請求項８から請求項１１までのいずれか一項に記載の制御方法。
【請求項１３】
前記判定ステップは、前記第２のディスプレイに表示されるデータが緊急警報情報、ニュース速報、視聴予約情報、録画予約情報、エラーメッセージのいずれかである場合に、前記第２のディスプレイの表示特性パラメータを前記第１のディスプレイの表示特性パラメータと連動させないと判定することを特徴とする請求項８に記載の制御方法。
【請求項１４】
前記判定ステップは、前記操作ステップによる操作が前記第２のディスプレイに対する操作であって、かつ前記第１のディスプレイに表示されているデータと直接的に関係のない操作である場合に、前記第２のディスプレイの表示特性パラメータを前記第１のディスプレイの表示特性パラメータと連動させないと判定することを特徴とする請求項９に記載の制御方法。
【請求項１５】
第１及び第２の表示領域を有する表示装置であって、
前記第１の表示領域の表示特性に係る表示特性パラメータを設定する設定手段と、
前記設定手段により設定された表示特性パラメータを用いて、前記第１の表示領域の表示制御を行う第１の表示制御手段と、
前記第２の表示領域に表示されるデータの内容に応じて、前記第２の表示領域の表示特性を前記第１の表示領域の表示特性と連動させるか否かを判定する判定手段と、
前記判定手段により連動させると判定された場合は、前記第２の表示領域の表示特性パラメータを前記第１の表示領域の表示特性パラメータに対応するパラメータに設定し、前記判定手段により連動させないと判定された場合は、前記第２の表示領域の表示特性パラメータを前記第１の表示領域の表示特性パラメータでデータを表示した場合に比べてユーザの認識度合いを高めるようなパラメータに設定して、前記第２の表示領域の表示制御を行う第２の表示制御手段とを備えることを特徴とする表示装置。
【請求項１６】
第１及び第２の表示領域を有する表示装置であって、
前記第１の表示領域の表示特性に係る表示特性パラメータを設定する設定手段と、
前記設定手段により設定された表示特性パラメータを用いて、前記第１の表示領域の表示制御を行う第１の表示制御手段と、
ユーザの指示にしたがって前記表示装置を操作するための操作手段と、
前記操作手段による操作の内容に応じて、前記第２の表示領域の表示特性を前記第１の表示領域の表示特性と連動させるか否かを判定する判定手段と、
前記判定手段により連動させると判定された場合は、前記第２の表示領域の表示特性パラメータを前記第１の表示領域の表示特性パラメータに対応するパラメータに設定し、前記判定手段により連動させないと判定された場合は、前記第２の表示領域の表示特性パラメータを前記第１の表示領域の表示特性パラメータでデータを表示した場合に比べてユーザの認識度合いを高めるようなパラメータに設定して、前記第２の表示領域の表示制御を行う第２の表示制御手段とを備えることを特徴とする表示装置。
【請求項１７】
第１及び第２の表示領域を有する表示装置の制御方法であって、
前記第１の表示領域の表示特性に係る表示特性パラメータを設定する設定ステップと、
前記設定ステップで設定された表示特性パラメータを用いて、前記第１の表示領域の表示制御を行う第１の表示制御ステップと、
前記第２の表示領域に表示されるデータの内容に応じて、前記第２の表示領域の表示特性を前記第１の表示領域の表示特性と連動させるか否かを判定する判定ステップと、
前記判定ステップで連動させると判定された場合は、前記第２の表示領域の表示特性パラメータを前記第１の表示領域の表示特性パラメータに対応するパラメータに設定し、前記判定ステップで連動させないと判定された場合は、前記第２の表示領域の表示特性パラメータを前記第１の表示領域の表示特性パラメータでデータを表示した場合に比べてユーザの認識度合いを高めるようなパラメータに設定して、前記第２の表示領域の表示制御を行う第２の表示制御ステップとを備えることを特徴とする制御方法。
【請求項１８】
第１及び第２の表示領域を有する表示装置の制御方法であって、
前記第１の表示領域の表示特性に係る表示特性パラメータを設定する設定ステップと、
前記設定ステップで設定された表示特性パラメータを用いて、前記第１の表示領域の表示制御を行う第１の表示制御ステップと、
ユーザの指示にしたがって前記表示装置を操作するための操作ステップと、
前記操作ステップによる操作の内容に応じて、前記第２の表示領域の表示特性を前記第１の表示領域の表示特性と連動させるか否かを判定する判定ステップと、
前記判定ステップで連動させると判定された場合は、前記第２の表示領域の表示特性パラメータを前記第１の表示領域の表示特性パラメータに対応するパラメータに設定し、前記判定ステップで連動させないと判定された場合は、前記第２の表示領域の表示特性パラメータを前記第１の表示領域の表示特性パラメータでデータを表示した場合に比べてユーザの認識度合いを高めるようなパラメータに設定して、前記第２の表示領域の表示制御を行う第２の表示制御ステップとを備えることを特徴とする制御方法。